(57)【要約】【課題】  ページング放送機能を備える構内交換機において、通話路の構成を簡素化し、コストダウンを図る。【解決手段】  構内交換機は、電話機の送信側に接続される複数の入力端子と、電話機の受信側に接続される複数の出力端子と、入力端子と出力端子とを接続する複数の通話路と、複数の入力端子と複数の通話路との接続を切り換える入力側スイッチと、複数の通話路と複数の出力端子との接続を切り換える出力側スイッチと、電話機からの音声をページング放送機器に出力するページングインターフェイスと、電話機からの呼に応じて入力端子、通話路、出力端子、ページングインターフェイスを接続するために、入力側スイッチおよび出力側スイッチおよび通話路を制御する通話路制御部とを備え、複数の通話路のうち一部だけがページング放送用経路を兼用する兼用通話路である。【選択図】      図１
2006114968.tif 000002
【特許請求の範囲】
【請求項１】
電話機の送信側に接続される複数の入力端子と、
電話機の受信側に接続される複数の出力端子と、
前記入力端子と出力端子とを接続する複数の通話路と、
前記複数の入力端子と前記複数の通話路との接続を切り換える入力側スイッチと、
前記複数の通話路と前記複数の出力端子との接続を切り換える出力側スイッチと、
前記電話機からの音声をページング放送機器に出力するページングインターフェイスと、
前記電話機からの呼に応じて前記入力端子、通話路、出力端子、ページングインターフェイスを接続するために、入力側スイッチおよび出力側スイッチおよび通話路を制御する通話路制御部と、
を備え、前記複数の通話路のうち一部だけがページング放送用経路を兼用する兼用通話路であることを特徴とする構内交換機。
【請求項２】
電話機からのページング要求があった際に前記兼用通話路が通常の通話により使用中である場合、前記通話路制御部は、前記兼用通話路を使用中である電話機の送受信を通常の通話路に切り換え、ページング要求があった電話機が接続されている入力端子を前記兼用通話路を介して前記ページングインターフェイスに接続することを特徴とする、請求項１に記載の構内交換機。
【請求項３】
前記ページングインターフェイスは、前記兼用通話路に対応するD/A変換部と、複数系統のページング放送機器にそれぞれ対応する複数のページング出力端子と、前記D/A変換部の出力と前記ページング出力端子との接続を切り換えるためのページング出力スイッチとを備える、請求項１または２に記載の構内交換機。
【発明の詳細な説明】
【技術分野】
【０００１】
本発明は、電話機からページング放送を行う装置に関し、特に、構内交換器に接続される複数の電話機から１または複数のスピーカを通じてページング放送を行うページング放送機能を備える構内交換機に関する。
【背景技術】
【０００２】
従来のページング放送機能を備えた構内交換機の一例として特許文献１に示されているようなものがある。
特許文献１に記載されているような構内交換機は、複数の電話機が接続される主装置にページングインターフェイスが内蔵されており、電話機からページング要求があった場合に、電話機の送信側が通話路を介してページングインターフェイスに接続するような構成となっている。
構内交換機は、電話機の送信側が接続される複数の入力端子と、電話機の受信側が接続される複数の出力端子と、DSP（Digital  Signal  Processor）で構成される複数の通話路と、入力端子と通話路との接続を切り換える入力側スイッチと、通話路と出力端子との接続を切り換える出力側スイッチとを含んでいる。
【０００３】
電話機から他の電話機への呼があった場合、対応する電話機の送信側および受信側に接続されている入力端子と出力端子とが通話路を介して接続されるように、入力側スイッチおよび出力側スイッチを制御する。たとえば、Ａの電話機からＢの電話機への発呼があった場合には、Ａの電話機の送信側とＢの電話機の受信側とが通話路を介して接続され、Ｂの電話機の送信側とＡの電話機の送信側とが通話路を介して接続されるように、入力端子を選択するための入力側スイッチと出力端子を選択するための出力側スイッチとを制御する。
【０００４】
電話機からのページング要求があった場合には、該当する電話機が接続されている入力端子とページングインターフェイスとを、DSPが構成された通話路を介して接続するようにスイッチング制御を行う。
複数の通話路は、それぞれ通常の電話機同士の通話に使用される通話路であるとともに、ページングインターフェイスに接続されてページング放送に用いられるページング機能を備えており、電話機からの要求に応じて、スイッチを切り換える。
【特許文献１】実用新案登録第2528001号公報
【発明の開示】
【発明が解決しようとする課題】
【０００５】
前述したようなページング機能を備えた構内交換機では、複数ある通話路をそれぞれページングインターフェイスに接続可能なページング機能を備えたものにする必要があり、コストダウンを図ることが困難である。
本発明は、ページング放送機能を備える構内交換機において、通話路の構成を簡素化し、コストダウンを図ることを目的とする。
【課題を解決するための手段】
【０００６】
本発明の請求項１に係る構内交換機は、電話機の送信側に接続される複数の入力端子と、電話機の受信側に接続される複数の出力端子と、入力端子と出力端子とを接続する複数の通話路と、複数の入力端子と複数の通話路との接続を切り換える入力側スイッチと、複数の通話路と複数の出力端子との接続を切り換える出力側スイッチと、電話機からの音声をページング放送機器に出力するページングインターフェイスと、電話機からの呼に応じて入力端子、通話路、出力端子、ページングインターフェイスを接続するために、入力側スイッチおよび出力側スイッチおよび通話路を制御する通話路制御部とを備え、複数の通話路のうち一部だけがページング放送用経路を兼用する兼用通話路であることを特徴とする。
【０００７】
この場合、通話路の一部だけがページング放送用経路を兼用する兼用通話路であることから、ハード構成が簡素化でき、コストダウンを図ることが可能となる。
本発明の請求項２に係る構内交換機は請求項１に記載の構内交換機であって、電話機からのページング要求があった際に兼用通話路が通常の通話により使用中である場合、通話路制御部は、兼用通話路を使用中である電話機の送受信を通常の通話路に切り換え、ページング要求があった電話機が接続されている入力端子を兼用通話路を介してページングインターフェイスに接続することを特徴とする。
【０００８】
この場合、ページング要求があった場合に兼用通話路を使用している通話を通常の通話路に移行し、ページングインターフェイスを介したページング放送を速やかに行うことが可能となる。また、ページングインターフェイスを介した放送を行っていない場合には、兼用通話路を通常の通話路として使用することが可能であり、通話路を有効に利用することが可能となる。
本発明の請求項３に係る構内交換機は請求項１または２に記載の構内交換機であって、ページングインターフェイスは、前記兼用通話路の出力が接続されるD/A変換部と、複数系統のページング放送機器にそれぞれ対応する複数のページング出力端子と、D/A変換部の出力とページング出力端子との接続を切り換えるためのページング出力スイッチとを備えている。
【０００９】
この場合、複数系統のページング放送機器に対してそれぞれ選択的にページング放送を行うことが可能となる。
【発明の効果】
【００１０】
本発明によれば、構内交換機に設けられる複数の通話路のうち一部だけをページング放送機能を有するものとすることで、ハードウェアの構成を簡素化し、コストダウンを図ることが可能となる。
【発明を実施するための最良の形態】
【００１１】
〈基本構成〉
本発明の１実施形態が採用される構内交換機を図に基づいて説明する。図１は、第１実施形態の構内交換機の制御ブロック図である。
構内交換機１は、電話機の送信側に接続される複数の入力端子2-1〜2-pと、電話機の受信側に接続される複数の出力端子3-1〜3-pと、入力端子2-1〜2-pと出力端子3-1〜3-pとを接続する複数の通話路6-1〜6-q、7-1〜7-rと、複数の入力端子2-1〜2-pと複数の通話路6-1〜7-rとの接続を切り換える入力側スイッチ４と、複数の通話路6-1〜7-rと複数の出力端子3-1〜3-pとの接続を切り換える出力側スイッチ５と、電話機からの音声をページング放送機器に出力するページングインターフェイス９と、電話機からの呼に応じて入力端子2-1〜2-p、通話路6-1〜7-r、出力端子3-1〜3-p、ページングインターフェイス９を接続するために、入力側スイッチ４および出力側スイッチ５を制御する通話路制御部10とを備えている。
【００１２】
入力端子2-1〜2-pは、それぞれ電話機の送話部11-1〜11-pから出力される音声信号を受信して入力側スイッチ４を介して通話路側に送信する。
出力端子3-1〜3-pは、通話路および出力側スイッチ５を介して出力される音声信号をそれぞれ電話機の受話部12-1〜12-pに対して送出する。
複数の通話路はそれぞれアナログ音声信号を量子化してデジタル信号に変換したり、デジタル信号を復元して音声信号に変換するDSP（Digital  Signal  Processor）を備えており、このうち通常通話路6-1〜6-qは電話機同士の接続のみに使用されるものであり、ページング機能を備えていない通話路となっている。また、通話路のうち、兼用通話路7-1〜7-rは、DSPからの出力がページングインターフェイス９に接続されており、通常通話機能の他にページング機能を備えた兼用通話路となっている。
【００１３】
ページングインターフェイス９は、兼用通話路7-1〜7-rの出力が接続されるD/A変換部13-1〜13-sと、複数系統のページング放送機器16-1〜16-sにそれぞれ対応する複数のページング出力端子15-1〜15-sと、D/A変換部13-1〜13-sの出力とページング出力端子15-1〜15-sとの接続を切り換えるためのページング出力スイッチ14とを備えている。
ページングインターフェイス９では、兼用通話路7-1〜7-rから送出されるデジタル信号をD/A変換部13-1〜13-sにより音声信号に復元する。D/A変換部13-1〜13-sにおいて変換された音声信号は、ページング出力スイッチ14を介して出力端子15-1〜15-sに出力される。
【００１４】
ページングインターフェイス９の出力端子15-1〜15-sは、設けられるページング放送機器の系統に応じて複数設定することが可能である。
ページングインターフェイス９の出力端子15-1〜15-sに接続されるページング放送機器は、それぞれページングインターフェイス９からの出力を増幅するページングアンプ16-1〜16-sと、構内に設置されるスピーカ17-1〜17-sを備えている。
D/A変換部13-1〜13-sおよび出力端子15-1〜15-sの数は、設置されるページング放送機器の系統数に対応させることが可能であり、D/A変換部13-1〜13-sの数をページング放送機器の系統数より少ない構成とすることも可能である。
【００１５】
通話路制御部10は、入力側スイッチ４、出力側スイッチ５、兼用通話路7-1〜7-rおよびページング出力スイッチ14を制御するものであり、CPU、ROM、RAM、各種インターフェイスを備えるマイクロプロセッサで構成することができる。
通話路制御部10は、電話機からの呼に対応して入力側スイッチ４、出力側スイッチ５を制御して、電話機の送信側および受信側の双方向通話路を構築する。また、電話機からのページング要求があった場合には、入力側スイッチ４、兼用通話路7-1〜7-r、ページング出力スイッチ14を制御して、ページングインターフェイス９を介して呼に対応したページング放送機器に出力されるように通話路を構成する。
〈動作〉
本実施形態について、その動作を図に基づいて説明する。図２は、基本動作を示す制御フローチャートである。
【００１６】
装置が起動されると、ステップS11において、各種パラメータを既定値に設定するなどの初期設定動作を実行する。
ステップS12では、通話路制御部10は、電話機からの通常呼があったか否かを判別する。通話路制御部10は、電話機からの通常呼があったと判断すると、ステップS13に移行する。
ステップS13では、通話路制御部10は通常通話処理を実行する。
ステップS14では、通話路制御部10は、電話機からのページング要求があったか否かを判別する。通話路制御部10は、電話機からのページング要求があったと判断した場合、ステップS15に移行する。
【００１７】
ステップS15では、通話路制御部10は、ページング要求があった電話機からの音声信号をページングインターフェイス９に接続し、対応するページング放送機器に対する放送を行うページング処理を実行する。
ステップS16では、通話路制御部10は、装置の終了処理がなされたか否かを判別する。通話路制御部10は、装置の終了処理がなされたと判断した場合には必要なパラメータを所定の記憶領域に格納するなどの終了処理を実行して動作を終了する。
〈通常通話処理〉
構内交換機１の通常通話処理について、図３に示す制御フローチャートに基づいて説明する。
【００１８】
ステップS21では、通話路制御部10は通話路に空きがあるか否かを判別する。通話路制御部10は、通話路に空きがないと判断した場合には、ステップS22に移行する。
ステップS22では、通話路制御部10は呼要求のあった電話機に対して回線ビジーである旨の通知を行うなどのビジー処理を実行する。
ステップS23では、通話路制御部10は通話路を選択して、入力側スイッチ４、出力側スイッチ５および通話路6-1〜7-rの位置を決定する。
ステップS24では、通話路制御部10は選択した入力側スイッチ４、出力側スイッチ５に基づく通話路6-1〜7-rのうちのいずれかを介した通常の通話処理を開始する。
【００１９】
ステップS25では、通話路制御部10は、通話路変更要求があったか否かを判別する。通話路変更要求は、通常通話処理に使用している通話路がページング機能を備えた兼用通話路である場合に、他の電話機からのページング要求があった場合に生成されるものであり、通話路制御部10はこのような通話路変更要求があったと判断した場合にはステップS26に移行する。
ステップS26では、通話路制御部10は、入力側スイッチ４および出力側スイッチ５を制御して、兼用通話路を用いて通話を行っている回線を通常通話のみに対応している通話路に変更する。
【００２０】
ステップS27では、通話路制御部10は、通話が終了したか否かを判別する。通話路制御部10は、通常通話が終了したと判断した場合には、ステップS28に移行し、回線接続を遮断して終話処理を実行する。
〈ページング放送処理〉
構内交換機１のページング放送処理について、図４の制御フローチャートに基づいて説明する。
ステップS40において、通話路制御部10は、ページング要求があった電話機が接続される通話路が、通常通話のみに対応する通話路であるか否かを判別する。通話制御部10は、ページング要求があった電話機が通話通話のみに対応した通話路に接続されていると判断した場合、ステップS41に移行し、兼用通話路に接続されていると判断した場合にはステップS45に移行する。
【００２１】
ステップS41において、通話路制御部10は、ページング機能を有する兼用通話路に空きがあるか否かを判別する。通話路制御部10は、兼用通話路7-1〜7-rが全て他の通話に使用されていると判断した場合にはステップS42に移行する。
ステップS42では、通話路制御部10は、兼用通話路を使用している通話が通常通話であり、通常通話のみに対応している通話路に空きがあるか否かを判別する。通話路制御部10は、兼用通話路7-1〜7-rを使用している通話が通常通話であり、かつ通常通話のみに対応している通話路6-1〜6-qに空きがあると判断した場合にはステップS43に移行し、兼用通話路7-1〜7-rがページング放送により使用中である場合または通常通話のみに対応している通話路6-1〜6-qに空きがないと判断した場合にはステップS48に移行する。
【００２２】
ステップS48では、通話路制御部10は、兼用通話路が使用している通話がページング放送であるか否かを判別する。通話路制御部10は、兼用通話路が使用している通話がページング放送であると判断した場合、ステップS50に移行し、そうでないと判断した場合にはステップS49に移行する。
ステップS50では、通話路制御部10は、ページング要求があった電話機に対して回線ビジーである旨の通知を行うなどのビジー処理を実行して処理を終了する。
ステップS49では、通話路制御部10は、兼用通話路を使用している通話に対する通話路変更要求を生成する。この場合、通話路制御部10は、兼用通話路7-1〜7-rを使用して通常通話を行っている電話機の通話路と、現在ページング要求をしてきた電話機の通話路とを交換するために、入力側スイッチ４、出力側スイッチ５および兼用通話路7-1〜7-rのうち対応するものを切り換える。
【００２３】
ステップS43では、通話路制御部10は、兼用通話路を使用している通話に対する通話路変更要求を生成する。通話路制御部10は、兼用通話路7-1〜7-rを使用して通常通話を行っている電話機の通話路を通常通話のみに対応している通話路のうち空いているものに変更するために入力側スイッチ４、出力側スイッチ５および兼用通話路7-1〜7-rのうち対応するものを切り換える。
ステップS44では、通話路制御部10は、ページング要求があった電話機を兼用通話路を介してページングインターフェイス９に接続するために、通話路の選択を行う。通話路制御部10は、スイッチ４、兼用通話路7-1〜7-rを制御して、ページング要求があった電話機が接続されている入力端子を兼用通話路を介してページングインターフェイス９に接続する。このとき、ページングインターフェイス９内のD/A変換部13-1〜13-sと、ページング放送機器の系統との接続関係を変更する必要がある場合には、通話路制御部10はページング出力スイッチ14を制御して該当する接続に設定する。
【００２４】
ページングインターフェイス９内のD/A変換部13-1〜13-sの数は、ページング放送機器の系統数と同一であってもよく、また兼用通話路7-1〜7-rの数と同一であってもよい。また、兼用通話路7-1〜7-rの数とD/A変換部13-1〜13-sの数とが一致していない場合には、ページングインターフェイス９の入力側にスイッチ回路を設けて、経路を切り換えるように構成することも可能である。
ステップS45では、通話路制御部10により設定されて通話路により、ページング要求があった電話機からのページング放送を開始する。
【００２５】
ステップS46では、通話路制御部10は、ページング放送が終了したか否かを判別する。通話路制御部10は、ページング要求があった電話機が回線切断したことを検出した場合に、ページング放送が終了したと判断してステップS46に移行する。
ステップS46では、通話路制御部10は、ページング放送処理のための設定をリセットする。通話路制御部10は、ページング放送に使用した入力スイッチ４、兼用通話路7-1〜7-rおよびページングインターフェイス9内のページング出力スイッチ14をリセットすることで終了処理を実行する。
〈ネットワーク構成〉
前述した実施形態では、１つの構内交換機１について説明したが、複数の構内交換機がLAN（Local  Area  Network）に複数の構内交換機が接続されているような場合であっても同様に採用され得る。
【００２６】
たとえば、図５に示すように、LAN100に複数の交換機110-1〜110-xが接続されており、各交換機110-1〜110-xの配下にそれぞれ電話機が接続され、ページング放送機器として複数の系統を構成するグループ120-1〜120-yが接続されている構成が考えられる。
このような構成である場合、交換機110-2に接続されている電話機から交換機110-1配下のグループ120-1にページング要求を行った場合、交換機110-1において兼用通話路を介してページングインターフェイスに接続されるようにスイッチ回路を選択し、ページング放送を実行することとなる。
【００２７】
このような交換機110-1〜110-xは、たとえば、双方向4通話分の通話路を構成するために、8個のDSPを備える通話路を設け、このうち２つの通話路をページング機能を備えた兼用通話路とすることができる。この場合、D/A変換部を２つ備えたページングインターフェイスを設けることにより、同時に２系統のページング放送を行うことが可能となる。
また、インターネットや専用回線などを介して他のLAN同士が接続されているような場合にも採用することが可能である。
たとえば、図６に示すように、インターネット200を介して接続される複数のLAN100、101に、それぞれ交換機110-1〜110-xおよび交換機111-1〜111-yが接続されているような場合が想定できる。LAN100内の交換機110-1〜110-xの配下には、それぞれ複数の電話機が接続されるとともに、複数系統のページング機器を構成するグループ121-1〜121-zが接続されている。同様に、LAN101内の交換機111-1〜111-yの配下には、それぞれ複数の電話機が接続されているとともに、複数系統のページング機器を構成するグループ122-1〜122-wが接続されている。
【００２８】
この構成のうちのいずれかの電話機から他のLAN内のページング放送機器へのページング要求を行った場合でも、前述と同様にしてページンググループが所属する交換機内の兼用通話路を利用してページングインターフェイスを介した接続を行う。
各交換機は、電話機から通常の通話要求があった場合に、通常通話のみに対応した通話路を優先的に使用して通話を行わせるように構成することができる。この場合、ページング要求が発生しても、兼用通話路が通常通話によりビジーになっている確率が小さくなり、通話路変更処理を行う機会が少なくなる。
【産業上の利用可能性】
【００２９】
本発明はページング放送（拡声ページング）機能を備えた構内交換機に採用することができ、通常通話とページング放送の両方に対応した兼用通話路を複数の通話路のうちの一部に限定することにより、ハードウェア構成を簡素化し、コストダウンを図ることを可能にしている。
【図面の簡単な説明】
【００３０】
【図１】本発明の１実施形態が採用される構内交換機の機能ブロック図である。
【図２】その動作を示す制御フローチャートである。
【図３】通常通話処理における動作を示す制御フローチャートである。
【図４】ページング放送処理における動作を示す制御フローチャートである。
【図５】ネットワーク構成の一例を示す説明図である。
【図６】ネットワーク構成の他の例を示す説明図である。
【図１】
2006114968.tif 000003
【図２】
2006114968.tif 000004
【図３】
2006114968.tif 000005
【図４】
2006114968.tif 000006
【図５】
2006114968.tif 000007
【図６】
2006114968.tif 000008